(57)【要約】【課題】  写真処理消耗品の在庫切れを起こすことがないようにする。【解決手段】  写真処理装置１００は、所定個数が１ロットとして発注される写真処理消耗品の１個当たりの耐用数量、単位時間当たりの消耗量、１ロットの発注個数、ロット使用開始からの経過時間及びリードタイムのそれぞれに関連づけられた情報より、該１個当たりの耐用数量を該単位時間当たりの消耗量で除して得られた１個当たりの消耗時間に該１ロットの発注個数を乗じた総消耗時間より該ロット使用開始からの経過時間と該リードタイムとを減じることにより発注時期までの残余時間に関連づけられた情報を演算する残余時間演算手段と、残余時間演算手段によって演算した発注時期までの残余時間に関連づけられた情報に基づいて所定の注意喚起信号を発する信号発信手段と、を備える。【選択図】図１
2005250140.tif 000002
【特許請求の範囲】
【請求項１】
所定個数が１ロットとして発注される写真処理消耗品の１個当たりの耐用数量、単位時間当たりの消耗量、１ロットの発注個数、ロット使用開始からの経過時間及びリードタイムのそれぞれに関連づけられた情報より、該１個当たりの耐用数量を該単位時間当たりの消耗量で除して得られた１個当たりの消耗時間に該１ロットの発注個数を乗じた総消耗時間より該ロット使用開始からの経過時間と該リードタイムとを減じることにより発注時期までの残余時間に関連づけられた情報を演算する残余時間演算手段と、
上記残余時間演算手段によって演算された発注時期までの残余時間に関連づけられた情報に基づいて所定の注意喚起信号を発する信号発信手段と、
を備えた、写真処理装置。
【請求項２】
請求項１に記載された写真処理装置において、
上記写真処理消耗品の１ロットの発注個数に関連づけられた情報、及び／又は、リードタイムに関連づけられた情報を可変に設定入力するための設定入力手段をさらに備えた、写真処理装置。
【請求項３】
請求項１に記載された写真処理装置において、
上記単位時間当たりの写真処理消耗品の消耗量に関連づけられた情報が、単位時間当たりの写真処理量から換算されるように構成されている、写真処理装置。
【請求項４】
請求項１に記載された写真処理装置において、
過去の複数の単位時間当たりの写真処理消耗品の消耗量の平均に関連づけられた情報が、上記単位時間当たりの写真処理消耗品の消耗量に関連づけられた情報とされるように構成されている、写真処理装置。
【請求項５】
請求項４に記載された写真処理装置において、
直近の過去の連続する複数の単位時間当たりの写真処理消耗品の消耗量の平均に関連づけられた情報が、上記単位時間当たりの写真処理消耗品の消耗量に関連づけられた情報とされるように構成されている、写真処理装置。
【請求項６】
請求項４に記載された写真処理装置において、
上記過去の複数の単位時間当たりの写真処理消耗品の消耗量の平均する数に関連づけられた情報を可変に設定入力するための設定入力手段をさらに備えた、写真処理装置。
【請求項７】
請求項１に記載された写真処理装置において、
過去の複数の単位時間当たりの写真処理量から換算した過去の複数の単位時間当たりの写真処理消耗品の消耗量の平均に関連づけられた情報が、上記単位時間当たりの写真処理消耗品の消耗量に関連づけられた情報とされるように構成されている、写真処理装置。
【請求項８】
請求項１に記載された写真処理装置において、
上記残余時間演算手段は、所定の余裕時間に関連づけられた情報を用い、上記消耗時間からさらに該余裕時間にを減じて発注時期までの残余時間に関連づけられた情報を演算する、写真処理装置。
【請求項９】
請求項８に記載された写真処理装置において、
上記余裕時間に関連づけられた情報を可変に設定入力するための設定入力手段をさらに備えた、写真処理装置。
【請求項１０】
請求項１乃至９のいずれかに記載された写真処理装置において、
上記写真処理消耗品が現像処理液である、写真処理装置。
【発明の詳細な説明】
【技術分野】
【０００１】
本発明は、写真処理装置に関する。
【背景技術】
【０００２】
印画紙に画像を焼き付けるのに引き続いてそれを現像する処理を連続的に行う写真処理装置が広く普及している。そのような写真処理装置では、処理が連続的に行われるので、印画紙や現像処理液などの写真処理消耗品が品切れすることがないように管理する必要があると共に、現像処理液などを常時正常な状態に保つ必要がある。
【０００３】
特許文献１には、各ラボ店毎に配置した副コンピュータに写真処理装置を接続し、写真処理装置の生産データを副コンピュータに取り込んで生産の管理を行うと共に、生産データから消耗品の消費状態を判断し、消耗品が一定量消費された場合には、通信回線を介してオンラインで本部の主コンピュータに消耗品の発注を行うシステムが開示されている。そして、これによれば、本部では、各ラボ店での生産状態を管理することができ、一方、各ラボ店では、生産データから消耗品の使用料を計算し、残存量が少なくなったときに、消耗品を本部へ自動発注するから配送時間等を考慮したタイムリーな発注が可能となる、と記載されている。
【０００４】
特許文献２には、印画紙の使用量を算定する印画紙使用量算定部と、ペーパーマガジンにおける印画紙の残量を管理する印画紙残量管理手段と、画像記録のためのプリントサイズを決定するプリントサイズ決定部と、装着されたペーパーマガジンにおける、決定されたプリントサイズでの記録可能枚数を算定するプリント可能枚数演算部とこの可能枚数を表示するモニターが備えられた画像プリンタのための記録紙残量表示装置が開示されている。そして、これによれば、プリント可能枚数が簡単に把握できる、と記載されている。
【０００５】
特許文献３には、複数種の写真処理液を各別に貯留する複数の処理槽から成る現像処理槽と、複数種の写真処理液を複数の処理槽に各別に補充する処理液補充機構とを現像処理装置に設け、現像処理槽に入り込んで処理された感光材料の累計の面積と、現像処理槽から排出された感光材料の累計の面積とをそれぞれ検出する面積検出手段を設けるとともに、面積検出手段の検出結果に基づいて、現像処理槽に対する写真処理液の補充量を算出する処理液補充量算出部を設け、処理液補充量算出部の算出結果に基づいて処理液補充機構を制御する制御部を設けた写真処理装置が開示されている。そして、これによれば、写真処理液の無駄な消費を抑制できて写真処理液に要するコストを低廉化でき、各処理槽の写真処理液を所望のコンディションに保つことができる、と記載されている。
【特許文献１】特開平３−２４１３５１号公報
【特許文献２】特開２０００−１６９０１２号公報
【特許文献３】特開２００１−１３３９５０号公報
【発明の開示】
【発明が解決しようとする課題】
【０００６】
ところで、上記のような写真処理装置では、現像によって現像処理液が経時的に劣化し、また、印画紙により現像処理液が持ち出されるため、装置を稼働させながら、処理液槽に接続された補充液タンクから新しい現像処理液を適宜補充すると共に処理液槽から古い現像処理液を排出するようになっている。そして、補充液タンク内の新しい現像処理液の残量については確認することができるようになっている。
【０００７】
ところが、これまでの写真処理装置では、現像処理液の在庫管理までは行われないので、例えば、在庫の最後の１つの現像処理液を補充液タンクに補充した後、直ぐに現像処理液を発注したとしても、発注から納入までにはある程度の期間（リードタイム）が必要であるため、その間に現像処理液の補充の必要が生じたような場合には、装置をストップさせなければならないという不都合が生じる。
【０００８】
本発明は、かかる点に鑑みてなされたものであり、その目的とするところは、写真処理消耗品の在庫切れを起こすことがないようにすることである。
【課題を解決するための手段】
【０００９】
上記目的を達成する本発明は、
所定個数が１ロットとして発注される写真処理消耗品の１個当たりの耐用数量、単位時間当たりの消耗量、１ロットの発注個数、ロット使用開始からの経過時間及びリードタイムのそれぞれに関連づけられた情報より、該１個当たりの耐用数量を該単位時間当たりの消耗量で除して得られた１個当たりの消耗時間に該１ロットの発注個数を乗じた総消耗時間より該ロット使用開始からの経過時間と該リードタイムとを減じることにより発注時期までの残余時間に関連づけられた情報を演算する残余時間演算手段と、
上記残余時間演算手段によって演算された発注時期までの残余時間に関連づけられた情報に基づいて所定の注意喚起信号を発する信号発信手段と、
を備えた写真処理装置である。
【００１０】
上記の構成によれば、残余時間演算手段によって発注時期、つまり、発注時期までの残余時間に関連づけられた情報が演算され、それに基づいて信号発信手段が注意喚起信号を発するので、オペレータがその注意喚起信号に基づいて、発注時期、或いは、それ以前に発注に着手するようにすれば、写真処理消耗品の在庫切れを防止することができる。
【００１１】
ここで、写真処理消耗品とは、印画紙や現像処理液のように消耗したときに無くなってしまうものだけではなく、ハロゲンランプやケミカルフィルタなどのように消耗したときに交換を要するものも含まれる。なお、後者のような場合には、「１個当たりの耐用数量」は「１個当たりの耐用時間」などとなる。
【００１２】
また、信号発信手段は、例えば、ディスプレイに発注時期までの残余時間を表示するものであっても、発注時期に到達したときに聴覚或いは視覚に訴える信号を発するものであっても何であってもよい。
【００１３】
また、リードタイムやロット使用開始からの経過時間や残余時間における時間、或いは、単位時間は、秒、分、時、日、月及び年のいずれで表されるものであってもよい。
【００１４】
本発明は、上記写真処理消耗品の１ロットの発注個数に関連づけられた情報、及び／又は、リードタイムに関連づけられた情報を可変に設定入力するための設定入力手段をさらに備えたものであってもよい。
【００１５】
上記の構成によれば、例えば、写真処理消耗品の１ロットの発注個数に関連づけられた情報の設定を自在に変更することができるとすると、例えば、店舗の規模や在庫管理方法などの条件によっては、在庫を多く持って発注頻度を少なくする場合でも、在庫をほとんど持たずに発注頻度を多くする場合でも、いずれの場合にも柔軟に対応することができる。同様に、リードタイムに関連づけられた情報の設定を自在に変更することができるとすると、店舗の立地条件によっては、写真処理消耗品を取り寄せるのに要するリードタイムが異なることとなるが、それに対応することができる。
【００１６】
本発明は、上記単位時間当たりの写真処理消耗品の消耗量に関連づけられた情報が、単位時間当たりの写真処理量から換算されるように構成されているものであってもよい。
【００１７】
写真処理消耗品によっては実際の消耗量を直接に把握することが困難な場合があるが、上記の構成によれば、例えば、写真処理消耗品１個がどれだけの写真処理量に対応するかを明確にしておけば、直接に把握できる写真処理量を管理するだけでよい。
【００１８】
本発明は、過去の複数の単位時間当たりの写真処理消耗品の消耗量の平均に関連づけられた情報が、上記単位時間当たりの写真処理消耗品の消耗量に関連づけられた情報とされるように構成されているものであってもよい。
【００１９】
例えば、単に、直前の単位時間当たりの写真処理消耗品の消耗量を情報として用いたとすると、その直前の情報が異常値であった場合に、残余時間演算手段での演算に大きな誤差を生じさせることとなるが、上記の構成によれば、複数のデータの平均を用いるので、仮にそのうちの１つのデータが異常値であったとしても、平均によって希釈化されるので、その残余時間演算手段での演算への影響を小さく抑えることができる。
【００２０】
この場合、本発明は、直近の過去の連続する複数の単位時間当たりの写真処理消耗品の消耗量の平均に関連づけられた情報が、上記単位時間当たりの写真処理消耗品の消耗量に関連づけられた情報とされるように構成されているものであってもよい。
【００２１】
上記の構成によれば、単位時間当たりの写真処理消耗品の消耗量のデータとして直近の連続する複数のデータの平均を用いるので、写真処理量の多い時期、或いは、写真処理量の少ない時期等、時期的傾向を残余時間演算手段での演算に反映させることができる。
【００２２】
この場合、本発明は、上記過去の複数の単位時間当たりの写真処理消耗品の消耗量の平均する数に関連づけられた情報を可変に設定入力するための設定入力手段をさらに備えたものであってもよい。
【００２３】
上記の構成によれば、平均する単位時間当たりの写真処理消耗品の消耗量の数に関連づけられた情報を自在に設定することができる。
【００２４】
本発明は、過去の複数の単位時間当たりの写真処理量から換算した過去の複数の単位時間当たりの写真処理消耗品の消耗量の平均に関連づけられた情報が、上記単位時間当たりの写真処理消耗品の消耗量に関連づけられた情報とされるように構成されているものであってもよい。
【００２５】
写真処理消耗品によっては実際の消耗量を直接に把握することが困難な場合があるが、上記の構成によれば、例えば、写真処理消耗品１個がどれだけの写真処理量に対応するかを明確にしておけば、直接に把握できる写真処理量を管理するだけでよい。
【００２６】
本発明は、上記残余時間演算手段が、所定の余裕時間に関連づけられた情報を用い、上記消耗時間からさらに該余裕時間にを減じて発注時期までの残余時間に関連づけられた情報を演算するものであってもよい。
【００２７】
特殊な事情によってリードタイムを越えて納入までに時間を要するような場合が生じても、上記の構成によれば、発注時期までに余裕時間が見込まれているので、多少のトラブルはそれで吸収することができる。
【００２８】
この場合、本発明は、上記余裕時間に関連づけられた情報を可変に設定入力するための設定入力手段をさらに備えたものであってもよい。
【００２９】
上記の構成によれば、余裕時間に関連づけられた情報の設定を自在に変更することができる。
【発明の効果】
【００３０】
以上説明したように、本発明によれば、残余時間演算手段によって発注時期までの残余時間に関連づけられた情報が演算され、それに基づいて信号発信手段が注意喚起信号を発するので、写真処理消耗品の在庫切れを起こすのを防止することができる。
【発明を実施するための最良の形態】
【００３１】
以下、本発明の実施形態を図面に基づいて詳細に説明する。
【００３２】
図１及び２は、本発明の実施形態に係る写真処理装置１００を示す。
【００３３】
この写真処理装置１００は、印画紙に画像を焼き付ける焼き付け部１１０と、画像を焼き付けた印画紙を現像する現像部１２０と、それらを含む装置全体を制御する制御部１３０と、で構成され、印画紙に画像を焼き付けるのに引き続いてそれを現像する処理を連続的に行う。
【００３４】
焼き付け部１１０は、長尺の印画紙をロール状に巻かれたものから印画紙を引き出して、その上にフィルムの画像を順次に焼き付け、隣接する現像部１２０に順送りする。
【００３５】
現像部１２０は、複数の処理液槽が設けられており、焼き付け部１１０から送られた印画紙をそれらの処理液槽に順に浸漬通過させることにより現像し、それを所定長さにカットした写真を排出する。
【００３６】
各処理液槽には、補充液タンク１２１が接続され、装置を稼働させながら、補充液タンク１２１から処理液槽に新しい現像処理液を適宜補充すると共に処理液槽から古い現像処理液を排出する。そして、このように、補充液タンク１２１からの新しい現像処理液を補充することにより、印画紙を連続的に現像することによる現像処理液の経時的な劣化に対する修正、及び、印画紙による現像処理液の持ち出しによる現像処理液の減少に対する補充を図る。また、補充液タンク１２１には、制御部１３０に接続された液面検知センサ１２２が設けられており、その液面検知センサ１２２は、補充液タンク１２１内に現像処理液が補充されたときに制御部１３０にそのことを示す信号を送る一方、補充液タンク１２１内の現像処理液の残量が所定量を下回ったときに制御部１３０にそのことを示す信号を送る。なお、液面検知センサ１２２が後者の信号を発したときには、制御部１３０は、オペレータに注意を喚起する聴覚的或いは視覚的信号を発する。
【００３７】
図３は、制御部１３０の構成を示す。
【００３８】
制御部１３０は、ＣＰＵ及びメモリ等からなる演算処理部１３１と、それに接続されたデータ格納部（ハードディスク等）１３２、設定入力手段たる設定入力部（キーボード、マウス）１３３、画像表示部（ディスプレイ）１３４とで構成されている。制御部１３０は、上述したように現像部１２０の液面検知センサ１２２などが接続されており、装置内の諸情報が入力されて情報処理を行うことにより、運転管理や異常検知等を行う。
【００３９】
以下では、この制御部１３０による現像処理液の在庫管理について説明する。
【００４０】
まず、在庫管理の基本的な方法について説明する。
【００４１】
この在庫管理は、現像処理液の１個当たりの量Ｓ（ｌ）、１日当たりの消耗量Ｘ（ｌ）、１発注ロット当たりの個数Ｑ（個）、ロット使用開始からの経過日数Ｐ（日）、発注から納入までのリードタイムＬ（日）、及び、納入から現像処理液不足が生じるまでの余裕日数Ｍ（日）の変数を用いて行う。ここで、１日当たりの現像処理液の消耗量Ｘ（ｌ）は、過去の連続した数日（Ｎ日）の１日当たりの消耗量Ｘi（i＝１，２，…，Ｎ）（ｌ）の平均消耗量Ｘave（ｌ）を用いる（Ｘave＝ΣＸi／Ｎ（i＝１，２，…，Ｎ））。これらの変数については表１にもまとめて示す。
【００４２】
【表１】
2005250140.tif 000003
【００４３】
そして、現像処理液の１個当たりの量Ｓを１日当たりの平均消耗量Ｘaveで除して得られた１個当たりの消耗日数に１発注ロット当たりの個数Ｑを乗じた総消耗日数よりロット使用開始からの経過日数Ｐと、発注から納入までのリードタイムＬと、納入から現像処理液不足が生じるまでの余裕日数Ｍと、を減じて発注時期までの残余日数Ｙを算出する（Ｙ＝（Ｓ／Ｘave）×Ｑ−Ｌ−Ｍ−Ｐ）。つまり、図４（ａ）にＱ＝１の場合について及び（ｂ）にＱ＝２の場合について示すが、１発注ロットの消耗日数を、既に過ぎ去ってしまったロット使用開始からの経過日数Ｐと発注のために不可避である発注から納入までのリードタイムＬと、余裕日数Ｍと、発注時期までの残余日数Ｙと、に割り振るようにしたものである。
【００４４】
９月１日から９月１９日までの月曜日〜金曜日におけるそれぞれの日の現像処理液の消耗量が表２に示すものであって、各変数が表３に示すものであった場合について具体的に説明する。なお、Ｐは、９月１５日を基準とするものである。つまり、使用中の現像処理液のロットの使用開始日は９月１日である。
【００４５】
【表２】
2005250140.tif 000004
【００４６】
【表３】
2005250140.tif 000005
【００４７】
仮に、本日が９月１５日であったとすると、Ｎ＝１０（日）であるので、Ｘaveは９月１日から９月１２日までの１日当たりの現像処理液の消耗量Ｘi（i＝１，２，…，Ｎ）の平均である。
【００４８】
Ｘave＝（2.81+2.92+3.02+3.30+2.89+2.76+3.26+3.02+2.88+2.96）／10
＝2.982（ｌ）
よって、
Ｙ＝（10/2.982）×10−14−7−10
＝2.534（日）
となる。従って、本日から２日以内、つまり、９月１７日中までには発注する必要があるということになる。
【００４９】
また、本日が９月１６日であったとすると、Ｎ＝１０（日）であるので、Ｘaveは９月２日から９月１５日までの１日当たりの現像処理液の消耗量Ｘi（i＝１，２，…，Ｎ）の平均である。
【００５０】
Ｘave＝（2.92+3.02+3.30+2.89+2.76+3.26+3.02+2.88+2.96+3.11）／10
＝3.012（ｌ）
よって、
Ｙ＝（10/3.012）×10−14−7−11
＝1.200（日）
となる。従って、本日から１日以内、つまり、９月１６日中までには発注する必要があるということになる。
【００５１】
次に、制御部１３０の演算処理部１３１における在庫管理処理の内容を図５のフローチャートに基づいて説明する。
【００５２】
この在庫管理処理は、写真処理装置１００の運転開始直後に、データ格納部１３２にインストールされた以下の手順を実行するコンピュータプログラムが演算処理部１３１に読み込まれてスタートする。
【００５３】
スタート後のステップＳ１では、その日の日付情報をデータ格納部１３２から読み込み、続くステップＳ２に進む。
【００５４】
ステップＳ２では、データ格納部１３２に記憶された現在使用されている在庫ロットのロット使用開始日を読み込み、続くステップＳ３に進む。ここで、このロット使用開始日は、１発注ロット当たりの発注個数Ｑと液面検知センサ１２２が補充液タンク１２１内に現像処理液が補充されたことを示す信号を制御部１３０に送った回数とから演算処理部１３１が予め演算してデータ格納部１３２に保存した管理上の情報である。
【００５５】
ステップＳ３では、その日の日付とロット使用開始日とからロット使用日からの経過日数Ｐを算出し、続くステップＳ４に進む。
【００５６】
ステップＳ４では、１日当たりの現像処理液の消耗量を平均する数Ｎをデータ格納部１３２から読み込み、続くステップＳ５に進む。この１日当たりの現像処理液の消耗量Ｘを平均する数Ｎは、設定入力部１３３からの設定入力により設定変更可能である。
【００５７】
ステップＳ５では、直近の連続する過去Ｎ日間の１日当たりの現像処理液の消耗量Ｘi（i＝１，２，…，Ｎ）をデータ格納部１３２から読み込み、続くステップＳ６に進む。ここで、この１日当たりの現像処理液の消耗量Ｘi（i＝１，２，…，Ｎ）は、現像処理液１個と写真処理量との対応関係から、それぞれの日の写真処理量から換算されてデータ格納部１３２に保存された管理上の情報である。現像処理液の実際の消耗量を直接に把握することが困難であるが、それを写真処理量から換算するので、現像処理液の直接の管理は必要でなく、直接に把握できる写真処理量だけを管理するだけでよい。
【００５８】
ステップＳ６では、Ｘave＝ΣＸi／Ｎ（i＝１，２，…，Ｎ）の演算を行い、１日当たりの現像処理液の平均消耗量Ｘaveを算出し、続くステップＳ７に進む。ここで、例えば、単に、前日の１日当たりの写真処理消耗品の消耗量をデータとして用いたとすると、そのデータが異常値であった場合に、演算に大きな誤差を生じさせることとなるが、このように複数のデータの平均を用いれば、仮にそのうちの１つのデータが異常値であったとしても、平均によって希釈化されるので、演算への影響を小さく抑えることができる。また、直近の過去Ｎ日の連続する複数のデータの平均を用いているので、写真処理の多い時期、或いは、写真処理の少ない時期等、時期的傾向を演算に反映させることができる。Ｎの値は、異常値の希釈化という観点からは大きいほど好ましいが、大きすぎると時期的傾向を演算に反映させることが困難となるので、具体的には、５〜１５が好適である。
【００５９】
ステップＳ７では、現像処理液の１個当たりの量Ｓ、１発注ロット当たりの個数Ｑ、発注から納入までのリードタイムＬ及び納入から現像処理液不足が生じるまでの余裕日数Ｍをデータ格納部１３２から読み込み、続くステップＳ８に進む。ここで、これらの１発注ロット当たりの個数Ｑ、発注から納入までのリードタイムＬ及び納入から現像処理液不足が生じるまでの余裕日数Ｍのそれぞれは、設定入力部１３３からの設定入力により設定変更可能である。このように現像処理液の１ロットの発注個数Ｑの設定を自在に変更することができると、例えば、店舗の規模や在庫管理方法などの条件によって、在庫を多く持って発注頻度を少なくする場合でも、在庫をほとんど持たずに発注頻度を多くする場合でも、いずれの場合にも柔軟に対応することができる。また、リードタイムＬの設定を自在に変更することができるとすると、店舗の立地条件によっては、現像処理液を取り寄せるのに要するリードタイムが異なることとなるが、それにも対応することができる。
【００６０】
ステップＳ８では、Ｙ＝（Ｓ／Ｘave）×Ｑ−Ｌ−Ｍ−Ｐの演算を行い、発注時期までの残余日数Ｙを算出し、続くステップＳ９に進む。
【００６１】
ステップＳ９では、オペレータの注意を喚起するように、画像表示部１３４に「Ｙ日後までに現像処理液発注」などのメッセージを表示し、エンドに進む。このとき、Ｙが例えば５以下であるかを判断し、ＹＥＳの場合に画像表示部１３４にメッセージを表示する一方、ＮＯの場合にそのままエンドになるようにしてもよい。また、画像表示部１３４へのメッセージの表示のように視覚に訴えるのではなく、発注日当日に音声メッセージや警報ののように聴覚に訴える信号を発するようにしてもよい。
【００６２】
以上のように、写真処理装置１００の制御部１３０は、残余時間演算手段のみならず、信号発信手段をも構成している。
【００６３】
そして、上記構成の本発明の写真処理装置１００によれば、発注日までの日数が演算され、その日数が画像表示部１３４に表示されるので、オペレータがその表示に基づいて発注日、或いは、それ以前に現像処理液を発注するようにすれば、現像処理液の在庫切れを防止することができる。
【００６４】
また、発注時期までの残余日数Ｙの演算において、余裕日数Ｍが見積もられているので、特殊な事情によってリードタイムＬを越えて納入までに日数を要するような場合が生じても、そのような多少のトラブルをそれで吸収することができる。
【００６５】
なお、上記実施形態では、現像処理液を在庫管理するものとしたが、特にこれに限定されるものではなく、印画紙などを在庫管理するものとしても、または、それらの両方を在庫管理するものとしても、さらに、現像処理液や印画紙のように消耗したときに無くなってしまうものではなく、ハロゲンランプやケミカルフィルタなどのように消耗したときに交換を要するものを在庫管理するものであってもよい。
【００６６】
また、上記実施形態では、直近の連続する過去Ｎ日間の１日当たりの現像処理液の消耗量Ｘi（i＝１，２，…，Ｎ）の平均をデータとして用いたが、特にこれに限定されるものではなく、写真処理依頼は時期的要因が需要に大きく影響するため、前年の同月同日のデータ、或いは、過去数年間の同月同日のデータの平均を用いてもよい。
【００６７】
また、上記実施形態では、現像処理液の１個当たりの量Ｓ、１日当たりの消耗量Ｘ、１発注ロット当たりの個数Ｑ、ロット使用開始からの経過日数Ｐ、発注から納入までのリードタイムＬ、納入から現像処理液不足が生じるまでの余裕日数Ｍ及び１日当たりの現像処理液の消耗量を平均する数Ｎのそれぞれの変数のそのままの情報を残余日数Ｙの演算に使用したが、特にこれに限定されるものではなく、それぞれの変数に関連づけられた情報に基づいて残余日数Ｙに関連づけられた情報を演算するものであってもよい。
【産業上の利用可能性】
【００６８】
本発明は、写真処理装置に有用である。
【図面の簡単な説明】
【００６９】
【図１】写真処理装置の斜視図である。
【図２】写真処理装置の構成図である。
【図３】制御部の構成を示すブロック図である。
【図４】現像処理液の在庫管理の説明図である。
【図５】現像処理液の在庫管理処理を示すフローチャートである。
【符号の説明】
【００７０】
１００  写真処理装置
１１０  焼き付け部
１２０  現像部
１２１  補充液タンク
１２２  液面検知センサ
１３０  制御部
１３１  演算処理部
１３２  データ格納部
１３３  設定入力部
１３４  画像表示部
【図１】
2005250140.tif 000006
【図２】
2005250140.tif 000007
【図３】
2005250140.tif 000008
【図４】
2005250140.tif 000009
【図５】
2005250140.tif 000010